(57)【要約】【課題】  装置が監視停止状態であるにも関わらず、利用者からの操作を受け付け、取引を実行できてしまう。【解決手段】  顧客または係員の操作を受け付ける操作画面を表示する操作表示部と、顧客用の操作画面を係員用の操作画面に切り替える係員画面切替操作または係員用の操作画面を顧客用の操作画面に切り替える顧客画面切替操作を受け付ける係員画面切替部と、装置の監視実行状態を監視停止状態に切り替える監視停止操作または装置の監視停止状態を監視実行状態に切り替える監視実行操作を受け付ける監視停止切替部と、監視停止切替部に対する監視停止操作を検知し監視停止状態への切り替えを実行している場合、係員画面切替部に対する顧客画面切替操作を検知しても操作表示部に表示させる操作画面を切り替えない制御をする制御部とを備える。【選択図】図７
2015230633.tif 000002
【特許請求の範囲】
【請求項１】
顧客または係員の操作を受け付ける操作画面を表示する操作表示部と、
顧客用の操作画面を係員用の操作画面に切り替える係員画面切替操作または前記係員用の操作画面を前記顧客用の操作画面に切り替える顧客画面切替操作を受け付ける係員画面切替部と、
装置の監視実行状態を監視停止状態に切り替える監視停止操作または装置の監視停止状態を監視実行状態に切り替える監視実行操作を受け付ける監視停止切替部と、
前記監視停止切替部に対する前記監視停止操作を検知し監視停止状態への切り替えを実行している場合、前記係員画面切替部に対する前記顧客画面切替操作を検知しても前記操作表示部に表示させる前記操作画面を切り替えない制御をする制御部とを備えることを特徴とする取引処理装置。
【請求項２】
請求項１に記載の取引処理装置であって、
装置の扉を閉状態から開状態に切り替える扉開操作または装置の扉を開状態から閉状態に切り替える扉閉操作を受け付ける扉開閉部と、を備え、
前記顧客用の操作画面は、前記顧客に対し当該装置の取扱いの中止を促す旨の表示をする取扱中止画面を含み、
前記操作画面を切り替えない場合であって、さらに前記扉開閉部に対する前記扉開操作を検知すると、前記制御部は前記操作表示部に表示させる前記操作画面を切り替え、前記取扱中止画面を表示させることを特徴とする取引処理装置。
【請求項３】
請求項１または請求項２に記載の取引処理装置であって、
前記顧客用の操作画面は、前記顧客に対し当該装置の取扱いの中止を促す旨の表示をする取扱中止画面を含み、
前記操作画面を切り替えない場合であって、さらに前記監視停止切替部に対する前記監視実行操作を検知すると、前記制御部は、前記操作表示部に表示させる前記操作画面を切り替え、前記顧客用の操作画面を表示させることを特徴とする取引処理装置。
【請求項４】
請求項１に記載の取引処理装置であって、
前記操作画面を切り替えない場合、前記制御部は、前記操作表示部に表示させる前記操作画面の一部に前記監視停止状態である旨の表示をさせることを特徴とする取引処理装置。
【請求項５】
請求項１に記載の取引処理装置であって、
前記顧客または前記係員に対して音声を出力する音声案内ガイダンス部を備え、
前記操作画面を切り替えない場合、前記制御部は、前記監視停止状態である旨を前記音声案内ガイダンス部に出力させることを特徴とする取引処理装置。
【請求項６】
顧客または係員の操作に利用する操作画面を表示する操作表示部と、
前記操作画面を顧客用の操作画面から係員用の操作画面に切り替えさせる係員フラグの入力または前記係員フラグの入力を解除する解除入力を受け付ける係員フラグ入力部と、
装置の監視実行状態から監視停止状態へ切り替えさせる監視停止フラグの入力または前記監視停止フラグの入力を解除する解除入力を受け付ける監視停止フラグ入力部と、
前記係員フラグによる操作画面の切り替えと前記監視停止フラグによる監視状態の切り替えを制御する制御部と、を備え、
前記制御部は、
前記係員フラグおよび前記監視停止フラグの解除入力を受け付けた第１の状態と、
前記係員フラグおよび前記監視停止フラグの入力を受け付けた第２の状態と、
前記第２の状態から更に前記係員フラグの解除入力を受け付けた第３の状態と、を管理し、
前記第１の状態と前記第２の状態は異なる操作画面を表示し、前記第２の状態と前記第３の状態は前記係員用の操作画面を表示することを特徴とする取引処理装置。
【請求項７】
顧客または係員の操作を受け付ける操作画面を表示する操作表示部と、
顧客用の操作画面を係員用の操作画面に切り替える係員画面切替操作または前記係員用の操作画面を前記顧客用の操作画面に切り替える顧客画面切替操作を受け付ける係員画面切替部と、
装置の監視実行状態を監視停止状態に切り替える監視停止操作または装置の監視停止状態を監視実行状態に切り替える監視実行操作を受け付ける監視停止切替部と、
前記係員画面切替部による前記操作表示部の操作画面の切り替えと前記監視停止切替部による装置の監視状態の切り替えを制御する制御部と、を備え、
前記制御部は、
前記監視停止切替部に対する前記監視停止切替操作による監視停止状態への切り替えが実行されているか否かを判定するステップと、前記監視停止状態において前記係員画面切替部に対する前記顧客画面切替操作を検知した場合、前記操作画面表示部に表示させる前記操作画面の切り替えを実行しないステップとを、有することを特徴とする取引処理装置制御方法。
【請求項８】
顧客または係員の操作に利用する操作画面を表示する操作表示部と、
前記操作画面を顧客用の操作画面から係員用の操作画面に切り替えさせる係員フラグの入力または前記係員フラグの入力を解除する解除入力を受け付ける係員フラグ入力部と、
装置の監視実行状態から監視停止状態へ切り替えさせる監視停止フラグの入力または前記監視停止フラグの入力を解除する解除入力を受け付ける監視停止フラグ入力部と、
前記係員フラグ入力部による前記操作表示部に表示させる操作画面の切り替えと前記監視停止フラグ入力部による装置の監視状態の切り替えを制御する制御部と、を備え、
前記制御部は、
前記係員フラグおよび前記監視停止フラグの解除入力を受け付けた状態を第１の状態と判断するステップと、
前記係員フラグおよび前記監視停止フラグの入力を受け付けた状態を第２の状態と判断するステップと、
前記第２の状態から更に前記係員フラグの解除入力を受け付けた状態を第３の状態と判断するステップと、
前記第１の状態から前記第２の状態に遷移した場合に前記操作表示部に異なる操作画面を表示させるステップと、
前記第２の状態から前記第３の状態に遷移した場合に前記操作表示部に前記係員用の操作画面を表示させるステップと、を有することを特徴とする取引処理装置制御方法
【発明の詳細な説明】
【技術分野】
【０００１】
この発明は、利用者との間で所定の取引を行う取引処理装置および取引処理装置制御方法に関する。
【背景技術】
【０００２】
近年、利用者からのタッチ操作等を受け付けて所望の取引を実現する、例えば、ＡＴＭ（Ａｕｔｏｍａｔｉｃ  Ｔｅｌｌｅｒ  Ｍａｃｈｉｎｅ）のような取引処理装置の発達が目覚しい。利用者の増加と装置の発達に伴い、装置が内部に保持する現金や個人情報の量も増加していることから、装置のセキュリティをより強固に維持することが強く求められている。
【０００３】
通常、取引処理装置は、装置内部に搭載した各種センサを用いて自身の状態を監視している。装置内部にアクセスするためには装置の扉を開閉するための扉キーを使用し装置扉を開く必要があるが、扉キーとして採用される鍵は装置毎にユニークであり、鍵自体の複製難度も高いものであることが一般的である。正規の手段である扉キーを使用せず、装置の物理的な破壊により装置内部へのアクセスを試みた場合、装置内部に搭載した各種センサが異常を検知し、装置が警報や警告を発する仕組みを有している。また、装置と監視システムとをネットワークを介して接続し、接続された装置の状態を監視システム側で常時監視することで、遠隔地からの装置異常の検知を可能としている。
【０００４】
しかし、上述した監視方式は不正規な手段を用いた装置内部へのアクセスを検知することを前提としている。正規の鍵を使用し装置を監視停止状態とした場合、装置から見れば正規の手順で監視停止状態となっているため、正規の鍵が第三者の手に渡ってしまった場合、当該装置のセキュリティが保証できなくなる。通常、正規の鍵を使用する機会が最も多い人物は装置の保守および障害復旧作業を行う係員であるため、係員が鍵の回収忘れをしないための様々な技術、方式が提案されている。
【０００５】
例えば、本発明の背景技術としては、特開平２−６８６９０号公報（特許文献１）に記載の技術がある。この公報には、「操作が簡便で日常運用に必要な錠の数を減少することが可能な、防犯性の優れた現金自動取引装置の監視システムを提供できる。」という記載がある。
【先行技術文献】
【特許文献】
【０００６】
【特許文献１】特開平２−６８６９０号公報
【発明の概要】
【発明が解決しようとする課題】
【０００７】
しかし、上述した特許文献１の従来技術では、装置が警告音を発する条件が装置監視状態で扉開状態となることであるため、装置が監視停止状態である場合は、係員の扉キーおよび監視停止キーの取り忘れを防ぐことができない。更に、装置の扉が閉状態且つ監視停止状態であり係員により装置が障害から復旧し、係員キーを用いて係員画面から取引画面へと遷移した場合、係員が監視停止キーを取り忘れた状態（装置が監視停止状態）であったとしても、利用者からの操作を受け付け、取引を実行できてしまうという問題があった。
【０００８】
そこで本発明は、上述する課題を解決するために装置のセキュリティを保障できない状態（監視停止状態）で利用者に取引を行わせず、ヒューマンエラーを要因としたセキュリティの低下を防ぎ、セキュリティを維持する構成を備えた取引処理装置を提供することを目的とする。
【課題を解決するための手段】
【０００９】
上記課題を解決するために、代表的な本発明の取引処理装置および取引処理装置制御方法の一つは、顧客または係員の操作を受け付ける操作画面を表示する操作表示部と、顧客用の操作画面を係員用の操作画面に切り替える係員画面切替操作または係員用の操作画面を顧客用の操作画面に切り替える顧客画面切替操作を受け付ける係員画面切替部と、装置の監視実行状態を監視停止状態に切り替える監視停止操作または装置の監視停止状態を監視実行状態に切り替える監視実行操作を受け付ける監視停止切替部と、監視停止切替部に対する監視停止操作を検知し監視停止状態への切り替えを実行している場合、係員画面切替部に対する顧客画面切替操作を検知しても操作表示部に表示させる操作画面を切り替えない制御をする制御部とを備えるものである。
【発明の効果】
【００１０】
この発明により、係員による取引処理装置の鍵の回収し忘れにより、または係員の操作ミスにより装置が監視停止状態のまま利用者が取引を行うことがない、ヒューマンエラーに対応した強固なセキュリティを維持可能な取引処理装置および装置制御方法を提供することができる。
【図面の簡単な説明】
【００１１】
【図１】本発明の金融機関システム全体の構成を示すシステム構成図。
【図２】本発明の取引処理装置の構成を示すブロック図。
【図３】本発明の取引処理装置の取引画面を示す画面図。
【図４】本発明の取引処理装置の取扱中止画面を示す画面図。
【図５】本発明の取引処理装置の係員画面を示す画面図。
【図６】従来の取引処理装置の状態遷移と遷移条件を説明する状態遷移図。
【図７】本発明における取引処理装置の状態遷移と遷移条件を説明する状態遷移図。
【図８】本発明の取引処理装置の係員画面を示す画面図。
【発明を実施するための形態】
【００１２】
以下、本発明の一実施形態を図面を用いて説明する。
【実施例１】
【００１３】
図１は、本実施形態にかかる金融機関システム１全体の構成を示すシステム構成図である。図２は、本実施形態にかかる取引処理装置１００の構成を示すブロック図である。
【００１４】
金融機関システム１は、取引処理装置（以下、ＡＴＭ：Ａｕｔｏｍａｔｉｃ  Ｔｅｌｌｅｒ  Ｍａｃｈｉｎｅと呼ぶ。）１００と、ホストコンピュータ１２０とが、通信ネットワーク２００により通信可能に接続されて構成されている。なお、通信ネットワーク２００は、ＷＡＮ（Ｗｉｄｅ  Ａｒｅａ  Ｎｅｔｗｏｒｋ）等の一般的な通信網である。また、図１に示すようにＡＴＭ１００は、遠隔地からＡＴＭ１００の状態を監視可能とする監視システム１３０とも通信ネットワーク２００により通信可能に接続されて構成されていてもよい。ホストコンピュータ１２０および監視システム１３０がそれぞれＡＴＭ１００と通信可能に接続するために使用する通信ネットワーク２００は、物理的に同一でもよいし、同一でなくともよい。
【００１５】
なお、以下の説明では、ＡＴＭ１００を金融機関システム１に適用した場合について説明しているが、本実施例に示す通信ネットワーク２００を構成しないスタンドアロンの場合や、金融機関システム１以外の他のシステムに適用することも可能である。
【００１６】
次に図２を用いて、本実施例に使用するＡＴＭ１００の構成について説明する。ＡＴＭ１００は、利用者の操作を受け付けて現金の入金や出金等の各種の取引を行う装置である。図２に示すように、ＡＴＭ１００は制御部１０２と、顧客操作部１０３と、カード・明細票機構部１０４と、通帳・帳票機構部１０５と、紙幣入出金機構部１０６と、硬貨入出金機構部１０７と、回線接続部１０８と、音声案内ガイダンス部１０９と、認証手段としての認証機構部１１０と、電源部１１１と、扉開閉部１１２と、監視停止切替部１１３と、係員画面切替部１１４と、センサ部１１５と、扉１１６とを含んで構成されている。
【００１７】
制御部１０２は、ＣＰＵ（Ｃｅｎｔｒａｌ  Ｐｒｏｃｅｓｓｉｎｇ  Ｕｎｉｔ）等のプロセッサやメモリ等の記憶部を含んで構成され、ＡＴＭ１００の各部の動作を制御する。また、記憶部に記憶された扉開フラグ等の各フラグを管理し、各フラグの状態によりＡＴＭ１００の制御を行うが、具体的な制御方法の詳細については後述する。
【００１８】
顧客操作部１０３は、例えば、タッチ入力部と表示部を有するタッチパネルから構成され、認証処理や利用者から入金処理や出金処理、残高照会等の各種の取引の指定を受け付け、またはその指定を受け付けるための入力画面を表示部に表示させる。また、表示部には、ＡＴＭ１００に障害が発生した場合や係員がＡＴＭ１００に対し特定の制御を行った場合、顧客が利用する操作画面（顧客用の操作画面）以外を表示するとしてもよい。なお、顧客操作部１０３は、操作表示部と呼ぶこともできる。
【００１９】
カード・明細票機構部１０４は、利用者が所持するキャッシュカード等のＩＣカードの挿入や排出を行う。また、カード・明細票機構部１０４は、ＩＣカードの磁気ストライプまたはＩＣカードに含まれるＩＣチップに対する読み書き、あるいはＩＣカードのエンボス部分のイメージの読取り等を行う。さらに、カード・明細票機構部１０４は、印字部によって取引内容が明細票に印字された場合に、印字された明細票を外部に排出する。また、排出した媒体が取り忘れられたと制御部１０２が判断した場合は、排出した媒体をカード・明細票機構部１０４内部に回収する。
【００２０】
通帳・帳票機構部１０５は、利用者が所持する通帳や帳票の挿入を受け付け、あるいは挿入された通帳や帳票を排出する。また、通帳・帳票機構部１０５は、挿入された通帳や帳票の磁気ストライプ部分の読み取り等を行う。さらに、通帳・帳票機構部１０５は、顧客操作部１０３が受け付けた取引の指定に従って実行された取引の結果等が印字部によって印字された場合に、印字された通帳や帳票を外部に排出する。また、排出した媒体が取り忘れられたと制御部１０２が判断した場合は、排出した媒体をカード・明細票機構部１０４内部に回収する。
【００２１】
紙幣入出金機構部１０６は、利用者から紙幣の入出金を受け付け、受け付けた紙幣を鑑別し、その後、鑑別された後の紙幣を紙幣収納庫に搬送、または紙幣収納庫から出庫し利用者へ払い出しを行う。
【００２２】
硬貨入出金機構部１０７は、利用者から硬貨の入出金を受け付け、受け付けた硬貨を鑑別し、その後、鑑別された後の硬貨を硬貨収納庫に搬送、または硬貨収納庫から出庫し利用者へ払い出しを行う。
【００２３】
回線接続部１０８は、ＮＩＣ（Ｎｅｔｗｏｒｋ  Ｉｎｔｅｒｆａｃｅ  Ｃａｒｄ）等の通信装置から構成され、ホストコンピュータ１２０、または監視システム１３０との間で、通信ネットワーク２００を介して各種の情報を送受信するものである。
【００２４】
音声案内ガイダンス部１０９は、利用者が操作部１０３を操作した場合に、次の操作を行うための誘導等をスピーカ等の音声出力装置によって案内するものである。また、ＡＴＭ１００の障害発生時や異常を検知した場合は、利用者を含む周囲の人物に対し音声で警告する動作も実行する。
【００２５】
認証機構部１１０は、利用者の指紋や静脈等の生体情報を読み取り、読み取った生体情報と、予めＩＣカードやホストコンピュータ１２０などに登録されている生体情報とを比較して、利用者が正当な利用者であるか否かを認証するものである。
【００２６】
電源部１１１は、外部からの電源コードを介して供給される電力をＡＣ／ＤＣ変換し、変換された電力をＡＴＭ１００の各部に供給する主電源である。
【００２７】
扉開閉部１１２は、ＡＴＭ１００の扉１１６を開状態とするために必要な扉キーを使用するための機構部である。扉キーを扉開閉部１１２に使用することでＡＴＭ１００の扉の開閉ができる。扉１１６を開状態としたとき、扉開閉部からの信号により扉開フラグがＯＮとなり、扉１１６を閉状態としたとき、扉開フラグはＯＦＦとなる。なお、ＡＴＭ１００を監視停止状態へ移行させずにＡＴＭ１００の扉を開状態、即ち扉開フラグをＯＮにした場合、音声案内ガイダンス部１０９が警告音を発する。また、ＡＴＭ１００は扉１１６以外にも扉があってもよく、同様に制御を行ってもよいことは言うまでもない。扉開フラグをＯＮに切り替える操作を扉開操作と呼び、扉開フラグをＯＦＦに切り替える操作を扉閉操作と呼ぶこともできる。
【００２８】
監視停止切替部１１３は、ＡＴＭ１００の監視状態の切り替えを実行するために必要な監視停止キーを使用するための機構部である。監視停止キーを監視停止切替部１１３に使用し監視停止フラグのＯＮ／ＯＦＦを切り替えることで、切り替え信号を出力し、ＡＴＭ１００の監視状態を監視実行状態または監視停止状態に移行させることができる。即ち、監視停止フラグがＯＦＦのときは、ＡＴＭ１００は監視実行状態であり、監視停止フラグがＯＮのときは、ＡＴＭ１００は監視停止状態となり、センサ部１１５は動作を一時停止し、異常を検知しなくなる。係員は、ＡＴＭ１００を監視停止状態にすることで音声案内ガイダンス部１０９が警告音を発すことなくＡＴＭ１００の各機構部（例えば紙幣入出金機構部１０６）にアクセスし、各種処理を実行することが可能となる。なお、監視停止切替部１１３は、扉１１６の開閉作業時の利便性向上と、どちらか一方の鍵を取り忘れることを防ぐことを目的とし、扉開閉部１１２の近辺に配置される場合がある。また、監視停止フラグをＯＦＦに切り替える操作を監視停止操作と呼び、監視停止フラグをＯＮに切り替える操作を監視実行操作と呼ぶこともできる。
【００２９】
係員画面切替部１１４は、顧客操作部１０３に表示させる操作画面を制御するために必要な係員キーを使用するための機構部である。係員キーを係員画面切替部１１４に使用し係員フラグをＯＮ／ＯＦＦすることで、切り替え信号を出力し、利用者からのタッチ操作等を受け付けて所望の取引を実現する取引画面３００と、装置内部へのアクセスが不要な障害に対する復旧処理や装置状態の確認処理を実行できる係員画面５００のいずれかを顧客操作部１０３に表示するかを切り替えることができる。即ち、係員フラグがＯＮのときは係員画面５００を表示し、係員フラグがＯＦＦのときは取引画面３００を顧客操作部１０３に表示する。なお、ＡＴＭ１００に何らかの障害が発生している場合は、取引画面３００ではなく取扱中止画面４００が表示される。また、係員フラグをＯＮにして取引画面３００から係員画面５００に切り替える操作を係員画面切り替え操作と呼び、係員フラグをＯＦＦにして係員画面５００から取引画面３００または取引中止画面４００に切り替える操作を顧客画面切り替え操作と呼ぶこともできる。
【００３０】
本実施例では、扉開閉部１１２、監視停止切替部１１３、係員画面切替部１１４は、対応するキー（鍵）が挿入されＯＮ側へ回されることで対応するフラグがＯＮとなり、キーがＯＦＦ側へ回されることで対応するフラグがＯＦＦとなる信号を出力する。また、本実施例では各フラグがＯＦＦとなるタイミングはキーをＯＦＦ側へ回し切ったときとして説明するが、それ以外のタイミングであってもよい。そのため、キーを抜かずに放置したままとすると各フラグはＯＦＦの状態を維持する。なお、各キーの操作（ＯＮ側へ回す、ＯＦＦ側へ回す）を切替操作と表現し、各部は切替操作を受け付けるものとする。また詳細は後述するが、各フラグの切り替え操作はキー（鍵）以外を用いてハードウェア的またはソフトウェア的に行うものとしてもよい。また、各キーには非接触ＩＣタグが取り付けられ各部に非接触ＩＣタグリーダが備わっており、各部が各キーの挿入の有無を検知することができるとしてもよい。
【００３１】
センサ部１１５は、制御部１１２により制御され、ＡＴＭ１００を監視する。センサ部１１５がＡＴＭ１００に対する不正規な手段（例えば、扉１１６をこじ開けようとする場合等）でのアクセスを検知した場合は、音声案内ガイダンス部１０９が警報や警告を発する。
【００３２】
ホストコンピュータ１２０は、ＡＴＭ１００の制御部１０２と同様に、ＣＰＵ等のプロセッサ、およびメモリ等の記憶部や表示部や入力部等の各種装置から構成される。このホストコンピュータ１２０の記憶部は、ＨＤＤ（Ｈａｒｄ  Ｄｉｓｋ  Ｄｒｉｖｅ）等の記憶装置で構成され、利用者の口座番号や店番号のほか、取引に必要となる情報を記録する。ホストコンピュータ１２０は、ＡＴＭ１００との間で通信ネットワーク２００を介して各種の情報を送受信し、ＡＴＭ１００の顧客操作部１０３が利用者から受け付けた認証、取引の種類に応じて、ＡＴＭ１００との間で必要な処理を行う際に、ＨＤＤ等の記憶装置を参照し認証判定や取引を行った上で、例えば、出金処理を行う場合には、残高金額から出金金額を差し引く等の帳簿上の処理を行う。
【００３３】
監視システム１３０は、ＡＴＭ１００の制御部１０２と同様に、ＣＰＵ等のプロセッサ、およびメモリ等の記憶部や表示部や入力部等の各種装置から構成される。この監視システム１３０の記憶部は、ＨＤＤ等の記憶装置で構成され、ＡＴＭ１００との間で通信ネットワーク２００を介して各種の情報を送受信し、監視システム１３０の使用者がＡＴＭ１００から受信した情報を記録し、現在のＡＴＭ１００の状態をリアルタイムに確認することができる。
【００３４】
次に、本実施例の取引装置１００の顧客操作部１０３に表示される画面の例について図３〜５を用いて説明する。
【００３５】
図３は、ＡＴＭ１００の顧客操作部１０３に表示する取引画面３００を示す図である。取引画面３００は、ＡＴＭ１００の利用者が入出金などの各種取引を行うための画面であり、利用者が行いたい取引を選択するための取引種別ボタン３０１と、取引を取り消すための取消ボタン３０２を含むオブジェクトにより構成される。利用者は希望する取引に対応したボタンを押下し、取引を行う。なお、各オブジェクトの配置数や配置場所は図３で例示した配置に制限するものではなく、自由に変更してもよいことは言うまでもない。また、取引画面３００は、顧客用の操作画面と呼ぶこともできる。
【００３６】
図４は、ＡＴＭ１００の顧客操作部１０３に表示する取扱中止画面４００を示す図である。取扱中止画面４００は、ＡＴＭ１００に何らかの障害が発生した場合に取引画面３００に代わって表示される画面である。取扱中止画面４００は、ＡＴＭ１００が使用できないことを利用者に通知する文言４０１を含む、利用者の操作を受け付けないオブジェクトにより構成される。なお、文言４０１の配置数や配置場所は図４で例示した配置に制限するものではなく、自由に変更可能なものとしてもよい。また、取引中止画面４００は取引画面３００の表示の一つとして扱ってもよい。この取扱中止画面４００を表示することで、利用者がＡＴＭ１００を使用して取引できないようにし、また、一定の条件の場合に係員がＡＴＭ１００の扉１１６を開状態とした場合も、同じく取扱中止画面４００を表示する。
【００３７】
図５は、ＡＴＭ１００の顧客操作部１０３に表示する係員画面５００を示す図である。この係員画面５００は、ＡＴＭ１００の状態（例えば、明細票切れや搬送ジャム等の情報）を表示するためのＡＴＭ状態表示領域５０１と、係員が保守または障害復旧作業を行う際に、ＡＴＭ１００に対し実行する処理を選択するための処理ボタン５０２と、処理ボタン５０２の分類分けなど複数画面を使用する場合に各画面を切り替えるための切替ボタン５０３を含むオブジェクトにより構成される。各オブジェクトの配置数や配置場所は図５で例示した配置に制限するものではなく、自由に変更してもよい。また、係員画面５００は係員用の操作画面と呼ぶこともできる。係員画面切替部１１４が切り替え操作を受け付け、係員フラグがＯＮ状態のとき、ＡＴＭ１００の顧客操作部１０３に表示する画面は係員画面５００となる。
【００３８】
次に、本実施例におけるＡＴＭ１００の保守点検や、障害対応の際における係員処理操作のときのＡＴＭ１００の動作を説明する前に、従来のＡＴＭにおける動作について説明する。図６は、従来例のＡＴＭの状態遷移と遷移条件を説明する図である。従来例を適用するＡＴＭ１００が取り得る状態は状態１から状態６までの６種類であり、扉開フラグ、監視停止フラグ、係員フラグのＯＮ／ＯＦＦを条件として各状態に遷移する。
【００３９】
通常、ＡＴＭ１００は状態１で稼働している。この状態１では、全ての扉は閉状態であり（扉開フラグＯＦＦ）、ＡＴＭ１００の状態はセンサ部１１５および／または監視システム１３０によって監視状態にあり（監視停止フラグＯＦＦ）、顧客操作部１０３には取引画面３００が表示され（係員フラグＯＦＦ）、利用者からの操作等を受け付けて取引を行うことができる状態である（Ｓ６０１）。
【００４０】
この状態１の状態からＡＴＭ１００の扉を開状態とした場合（扉開フラグＯＮ）、ＡＴＭ１００は監視状態であるため、センサ部１１５が異常を検知し、音声案内ガイダンス部１０９から警報、警告を発する。なお、状態１の場合に限らず、監視停止フラグがＯＦＦの状態で扉が開状態（扉開フラグがＯＮ）となった場合、同様に音声案内ガイダンス部１０９から警報、警告が発せられ、警報等によって不正行為を検知することが可能である。
【００４１】
状態１（Ｓ６０１）において、ＡＴＭ１００に何らかの障害が発生した場合、顧客操作部１０３に表示される画面は取引画面３００から取扱中止画面４００に切り替わり、利用者の操作を受け付けない状態となる。障害が発生し復旧作業を行う場合、係員画面５００のＡＴＭ状態表示領域５０１でＡＴＭ１００の状態を確認するため、係員は係員キーを係員画面切替部１１４に使用することで係員フラグをＯＮにする。これにより、ＡＴＭ１００は状態２（Ｓ６０２）へと遷移する。なお、係員がＡＴＭ１００の保守作業を行う場合であっても、同様の操作を行うものとする。
【００４２】
ＡＴＭ状態表示領域５０１を確認した結果、係員がＡＴＭ１００の内部にアクセスすることなく作業を行うことができると判明した場合、係員画面５００に配置されている処理ボタン５０２の中から目的の処理を選択、実行する。その後、係員キーを係員画面切替部１１４に使用し係員フラグをＯＦＦとすることで、ＡＴＭ１００は状態１（Ｓ６０１）へと遷移し、顧客操作部１０３には取引画面３００が表示される。なお、ＡＴＭ１００が障害から復旧していなかった場合は、顧客操作部１０３には取引画面３００ではなく取扱中止画面４００が表示される。
【００４３】
ＡＴＭ状態表示領域５０１を確認した結果、目的の作業を行うためにはＡＴＭ１００の内部にアクセスする必要があると判明した場合、係員は監視停止キーを監視停止切替部１１３に使用し監視停止フラグをＯＮにする。状態２（Ｓ６０２）から監視停止フラグをＯＮにしたときに、ＡＴＭ１００は状態４（Ｓ６０４）へと遷移する。更に、状態４のＡＴＭ１００に対し、係員が装置内部にアクセスするために扉キーを扉開閉部１１２に使用し扉１１６を開けて扉開フラグをＯＮにすることで、ＡＴＭ１００は状態４（Ｓ６０４）から状態６（Ｓ６０６）へと遷移する。
【００４４】
ＡＴＭ１００が状態６（Ｓ６０６）にある時、係員が目的の作業を完了し、扉キーを使用しＡＴＭ１００の全ての扉を閉状態にすることで、ＡＴＭ１００は状態６（Ｓ６０６）から状態４（Ｓ６０４）へと遷移する。また、状態４（Ｓ６０４）のＡＴＭ１００に対し監視停止キーを使用し監視停止フラグをＯＦＦにすることで、ＡＴＭ１００は状態４（Ｓ６０４）から状態２（Ｓ６０２）へと遷移する。最後に係員キーを使用し係員フラグをＯＦＦにすることで、状態１（Ｓ６０１）へ遷移する。このとき、ＡＴＭ１００に発生した障害が解消していれば、顧客操作部１０３には取引画面３００が表示され、障害復旧のための係員処理操作が終了する。
【００４５】
図６に示す状態遷移図の例では上記した以外の状態遷移を行うことが可能である。例えば、状態６（Ｓ６０６）のＡＴＭ１００に対し、係員キーを使用し係員フラグをＯＦＦにすることで、ＡＴＭ１００は状態６（Ｓ６０６）から状態５（Ｓ６０５）へと遷移する。このとき係員フラグをＯＦＦにすることで、顧客操作部１０３に表示される画面は、係員画面５００から取扱中止画面４００へと切り替わる。反対に、状態５（Ｓ６０５）のＡＴＭ１００に対し、係員キーを使用し係員フラグをＯＮにすると、ＡＴＭ１００は状態５（Ｓ６０５）から状態６（Ｓ６０６）へと遷移し、顧客操作部１０３に表示される画面は取扱中止画面４００から係員画面５００へと切り替わる。
【００４６】
また、状態５（Ｓ６０５）のＡＴＭ１００に対し、扉キーを使用し扉開フラグをＯＦＦとすることで、ＡＴＭ１００は状態５（Ｓ６０５）から状態３（Ｓ６０３）へと遷移する。反対に、状態３（Ｓ６０３）のＡＴＭ１００に対し扉キーを使用し扉開フラグをＯＮとすることで、ＡＴＭ１００は状態５（Ｓ６０５）へと遷移する。なお、状態５（Ｓ６０５）のＡＴＭ１００に対して監視停止キーを使用して監視停止フラグのＯＮ／ＯＦＦの操作をすることも可能ではあるが、扉開フラグがＯＮの状態でありセンサ部１１５が異常を検知し、音声案内ガイダンス部１０９から警報、警告が発せられることとなるためこのような操作は通常行われない。
【００４７】
同様に、状態１（Ｓ６０１）のＡＴＭ１００に対し、監視停止キーを使用し監視停止フラグをＯＮとすることで、ＡＴＭ１００は状態３（Ｓ６０３）へと遷移し、状態３（Ｓ６０３）のＡＴＭ１００に対し、監視停止キーを使用し監視停止フラグをＯＦＦとすることで、ＡＴＭ１００は状態３（Ｓ６０３）から状態１（Ｓ６０１）へと遷移する。このとき、顧客表示部に表示される画面は、何らかの障害が発生している場合は取扱中止画面４００が表示され、障害が発生していない場合は取引画面３００が表示される。状態３（Ｓ６０３）のＡＴＭ１００に対し、係員キーを使用し係員フラグをＯＮとした時点で、ＡＴＭ１００は状態４（Ｓ６０４）へと遷移し、状態４（Ｓ６０４）のＡＴＭ１００に対し、係員キーを使用し係員フラグをＯＦＦとした時点で、ＡＴＭ１００は状態４（Ｓ６０４）から状態３（Ｓ６０３）へと遷移する。状態３（Ｓ６０３）から状態４（Ｓ６０４）へと遷移した時点で、顧客操作部１０３に表示される画面は、係員画面５００へと切り替わる。
【００４８】
以上説明したように、従来例ではこのような各フラグを検知することで状態遷移を行っている。しかし、この従来例の状態遷移図では、ＡＴＭ１００が状態４（Ｓ６０４）から状態３（Ｓ６０３）へと遷移した場合、顧客操作部１０３には、ＡＴＭ１００に何らかの障害が発生している場合は取扱表示画面４００が表示されるが、ＡＴＭ１００に障害が発生していなければ取引画面３００が表示されてしまう。
【００４９】
この場合、顧客操作部１０３には取引画面３００が表示されていることから、ＡＴＭ１００の状態は一見して状態１（Ｓ６０１）と差異がないため、係員がＡＴＭ１００の状態を誤認し、ＡＴＭ１００を状態３（Ｓ６０３）から状態１（Ｓ６０１）へ遷移させ忘れてしまう危険性がある。また、係員がＡＴＭ１００を状態４（Ｓ６０４）から状態３（Ｓ６０３）へと遷移させ、係員キーを回収した時点でＡＴＭ１００の状態を状態１（Ｓ６０１）であると誤認した場合、係員画面切替部１１４から離れた位置に配置された扉開閉部１１２と監視停止切替部１１３に挿入されている扉キーと監視停止キーを回収し忘れ、これらの鍵が第三者の手に渡り悪用されてしまう危険性がある。特に、扉開閉部１１２と監視停止切替部１１３は、扉の開閉作業時の利便性向上と、どちらか一方の鍵を取り忘れることを防ぐことを目的として、互いに近い位置に配置されている場合は、係員画面切替部１１４は離れた位置に配置されているため取り忘れ防止効果が期待できない場合がある。
【００５０】
上述の問題に対し、本実施例におけるＡＴＭ１００の保守点検や、障害対応の際における係員処理操作のときのＡＴＭ１００の動作を図７を用いて説明する。本実施例では、新たにＡＴＭの状態７（Ｓ７０７）を定義し、状態間の遷移条件を従来のものから変更する。
【００５１】
図７は本実施例におけるＡＴＭ１００の状態遷移を示す図である。図６にて説明したものと重複する状態と状態遷移についての説明は省略する。
【００５２】
本実施例のＡＴＭ１００の状態遷移は、図６にて説明している従来のＡＴＭの状態遷移と遷移条件のうち、係員フラグをＯＦＦにすることで状態４（Ｓ６０４）から状態３（Ｓ６０３）へ遷移をしていたが、その遷移を行わないこととし、代わりに状態４（Ｓ６０４）のＡＴＭ１００に対し係員キーを使用し係員フラグをＯＦＦとした場合、状態遷移先を従来の状態３（Ｓ６０３）ではなく、新たに定義した状態７（Ｓ７０７）に遷移することとする。
【００５３】
即ち状態７（Ｓ７０７）は、監視停止フラグＯＮ且つ扉開フラグＯＦＦであるとき、係員フラグをＯＮからＯＦＦとした場合に遷移することとなり、この状態に限り、係員フラグがＯＦＦになった場合であっても、係員画面５００を顧客操作部１０３に表示させる制御を行う。従って、係員は係員フラグをＯＦＦにしたにも関わらず顧客操作部１０３の操作画面が切り替わらないため、必要な操作を行っていないこと（監視停止フラグがＯＦＦになっていないこと）に気づくことができる。
【００５４】
なお、状態７（Ｓ７０７）のＡＴＭ１００に対し係員フラグをＯＮとした場合は、ＡＴＭ１００は状態４（Ｓ６０４）へと遷移する。また、状態７（Ｓ７０７）のＡＴＭ１００に対し、扉キーを使用し扉開フラグをＯＮとした場合、ＡＴＭ１００は状態５（Ｓ６０５）へと遷移し、監視停止キーを使用し監視停止フラグをＯＦＦとした場合、ＡＴＭ１００は状態１（Ｓ６０１）へと遷移する。状態５（Ｓ６０５）、状態１（Ｓ６０１）からのＡＴＭ１００の状態遷移は、図６で説明した従来の状態遷移と同様とする。
【００５５】
以上の構成、および制御部１０２による状態遷移の制御とすることにより、顧客操作部１０３に表示する画面を係員画面５００から切り替え状態１（Ｓ６０１）へと遷移するためには、監視停止フラグをＯＦＦとすることが必要となる。即ち、ＡＴＭ１００を監視実行状態に戻すことが必要になるため、利用者が監視停止状態のＡＴＭ１００を操作し取引を行ってしまう危険性がなくなる。また、係員が監視停止キー、および監視停止キーと近い位置に配置されている扉キーを回収し忘れる危険性、回収し忘れた鍵が第三者の手に渡ってしまう危険性など、従来の方式で実現できていなかったヒューマンエラーを要因とした装置のセキュリティリスクの発生を大幅に低減することが可能となる。
【００５６】
［変形例１］
次に実施例１の変形例について説明する。本変形例は、図７に示す状態７に遷移した際に、係員に監視停止キーがＯＦＦになっていないことを提示するものである。なお実施例１と同様の構成については重複する説明となるため、説明は省略する。
【００５７】
図８は状態４から状態７に遷移した際の、顧客操作部１０３に表示される係員画面５００である。図に示すようにＡＴＭ状態表示領域８０１に新たに監視停止フラグの状態を示す監視停止状態表示部８０２を設けている。この構成により、係員は係員キーの操作をしたにも関わらず顧客操作部１０３の表示が係員画面から戻らない理由についてすぐに気づくことが可能となる。
【００５８】
また、図８に示すように状態４から状態７に遷移した場合、制御部１０２は音声案内ガイダンス部１０９に監視停止フラグの状態を出力させるとしてもよい。この場合、監視停止フラグの状態が音声として係員に出力されるため係員が監視停止キーの取り忘れに気づくことが可能となる。
【００５９】
［変形例２］
次に実施例１の変形例について説明する。本変形例は、図２に示した扉キー部１１２、監視停止キー部１１３、係員キー部１１４、およびこれら機構部に対応する鍵によりＡＴＭの状態を遷移させる複数のフラグを制御する構成としたが、これに限らず、１つ以上のフラグをハードウェアではなく何らかのソフトウェアにより制御する構成にしてもよい。
【００６０】
変形例１にて図８に示すように状態４から状態７に遷移した場合、ＡＴＭ状態表示領域８０１に監視停止状態表示部８０２を設けることを説明したが、例えば、この監視停止状態表示部８０２の領域をタッチすることで、監視停止フラグを変更可能な構成とすることもできる。この構成とすれば、監視停止キーを使用する必要はなくなり、係員による鍵の回収忘れの可能性を更に低減することができる。なお、顧客操作画面１０３の故障をした場合を考慮して、監視停止キー部１１３と併用して運用をすることができることは言うまでもない。
【００６１】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Ｓｏｌｉｄ Ｓｔａｔｅ Ｄｒｉｖｅ）等の記録装置、または、ＩＣカード、ＳＤカード、ＤＶＤ等の記録媒体に置くことができる。
【符号の説明】
【００６２】
１００・・・取引処理装置（ＡＴＭ）、１０２・・・制御部、１０３・・・顧客操作部、１０９・・・音声案内ガイダンス部、１１２・・・扉開閉部、１１３・・・監視停止切替部、１１４・・・係員画面切替部、１１５・・・センサ部、１１６・・・扉、３００・・・取引画面、４００・・・取扱中止画面、５００、８００・・・係員画面
【図１】
2015230633.tif 000003
【図２】
2015230633.tif 000004
【図３】
2015230633.tif 000005
【図４】
2015230633.tif 000006
【図５】
2015230633.tif 000007
【図６】
2015230633.tif 000008
【図７】
2015230633.tif 000009
【図８】
2015230633.tif 000010